(57)【要約】【課題】  防曇効果が高く、透視部材に防曇膜の流れ痕が残らない計器装置を提供する。【解決手段】  計器１５は、車両状態を示す物理量を表示する。ケース体１１は、計器１５を収容する。透視部材１３は、透光性樹脂からなり、計器１５の前側に設けられる。透視部材１３に非イオン性界面活性剤を含む防曇膜３０を形成する。非イオン性界面活性剤は、脂肪酸エステル型，糖エステル型，アルコール型，アルキルフェノール型，アルキルアミン型の何れかからなる。非イオン性界面活性剤は、ＨＬＢ値が５以上、１０以下である。【選択図】  図２
2006184154.tif 000002
【特許請求の範囲】
【請求項１】
車両状態を示す物理量を表示する計器と、前記計器を収容するケース体と、前記計器の前側に設けられた透光性樹脂からなる透視部材と、を有する計器装置であって、前記透視部材に非イオン性界面活性剤を含む防曇膜を形成してなることを特徴とする計器装置。
【請求項２】
前記非イオン性界面活性剤は、脂肪酸エステル型，糖エステル型，アルコール型，アルキルフェノール型，アルキルアミン型の何れかであることを特徴とする請求項１に記載の計器装置。
【請求項３】
前記非イオン性界面活性剤は、ＨＬＢ値が５以上、１０以下であることを特徴とする請求項１に記載の計器装置。
【発明の詳細な説明】
【技術分野】
【０００１】
本発明は、透光性樹脂からなる透視部材を有する計器装置に関するものである。
【背景技術】
【０００２】
従来より、四輪車，二輪車等の車両に搭載される計器装置が種々提案されており、例えば特許文献１に開示されている。計器装置１は、指示計器２をケース体３に収容し、このケース体３に見返し部材４及び透視部材５を設けたものである。指示計器２は、指標部が印刷形成された文字板６と、この文字板６を指示する指針７と、指針７を回転させる指針駆動手段８とを有するものであり、車速，エンジン回転数等の物理量を表示する。透視部材５の後面には、ＰＶＡ（ポリビニルアルコール）系の防曇剤からなる防曇膜９が形成されており、透視部材５が結露によって曇ることを防止している。
【特許文献１】特開２００２−２６７５０４号公報
【発明の開示】
【発明が解決しようとする課題】
【０００３】
しかしながら、計器装置１の周囲が高温多湿である場合、防曇膜９が飽和状態になり水分保持量の限界を超えると、防曇膜９が流れ落ちてしまい、防曇効果が著しく低下すると共に、防曇膜９の流れ痕が透視部材５の後面に残り、指示計器２を視認し難くなるという問題を有していた。
本発明は、この問題に鑑みなされたものであり、防曇効果が高く、透視部材に防曇膜の流れ痕が残らない計器装置を提供するものである。
【課題を解決するための手段】
【０００４】
本発明は、請求項１に記載したように、車両状態を示す物理量を表示する計器と、前記計器を収容するケース体と、前記計器の前側に設けられた透光性樹脂からなる透視部材と、を有する計器装置であって、前記透視部材に非イオン性界面活性剤を含む防曇膜を形成してなるものである。
【０００５】
また、請求項２に記載したように、前記非イオン性界面活性剤は、脂肪酸エステル型，糖エステル型，アルコール型，アルキルフェノール型，アルキルアミン型の何れかであるものである。
【０００６】
また、請求項３に記載したように、前記非イオン性界面活性剤は、ＨＬＢ値が５以上、１０以下であるものである。
【発明の効果】
【０００７】
非イオン性界面活性剤からなる防曇膜を透視部材に形成したことにより、従来よりも防曇効果が優れ、防曇膜の流れ痕が透視部材に残らない。
【発明を実施するための最良の形態】
【０００８】
以下、二輪車用の計器装置１０に本発明を適用した一実施例を添付の図面に基づいて説明する。１１はケース体であり、このケース体１１には後述する指示計器が収容されている。１２は見返し部材であり、この見返し部材１２は係止爪（図示しない）によりケース体１１に係止されている。
【０００９】
１３，１４は透視部材であり、この透視部材１３，１４は正面視で円形の薄板形状になっている。透視部材１３，１４は、アクリル，ポリカーボネート等の透光性樹脂からなるものであり、見返し部材１２と一体に形成されている。ケース体１１には、速度計１５（計器）及び回転計１６（計器）が収納されている。
【００１０】
速度計１５及び回転計１６は、文字板１７，バルブ１８，導光部材１９，指針２０，ステッピングモータ２１及び回路基板２２を有している（図２参照）。文字板１７はポリカーボネート等の樹脂からなる透光性基板に、指標部１７ａに透過性インクからなる半透過層を印刷形成し、指標部１７ａを除いて黒色インクからなる遮光層を印刷形成したものである。バルブ１８及び導光部材１９は文字板１７の後方に配置されており、指標部１７ａはバルブ１８が発した光により透過照明される。指針２０はステッピングモータ２１により回動され、文字板１７の指標部１７ａを指示する。バルブ１８が発した光は導光部材１９の反射面１９ａにより指針２０に導かれ、指針２０の指示部２０ａが光輝する。
【００１１】
２５は液晶表示パネルであり、この液晶表示パネル２５は速度計１５の文字板１７の後方に配設されている。文字板１７には矩形の開口１７ｂが形成されており、液晶表示パネル２５は開口１７ａに対応する位置に配置されている。２６は発光ダイオードであり、この発光ダイオード２６は回路基板２２に搭載されている。発光ダイオード２６は液晶表示パネル２５の後方に配置され、液晶表示パネル２５を透過照明する。２７は保持部材であり、この保持部材２７は角筒形状になっており、液晶表示パネル２５を保持している。２８は可撓性配線部材であり、この可撓性配線部材２８によって液晶表示パネル２５の電極を回路基板２２のコネクタ２９に電気的に接続している。
【００１２】
透視部材１３，１４の後面には、防曇膜３０が形成されている。防曇膜３０は、非イオン性界面活性剤からなるものであり、透視部材１３，１４の後面に塗布されている。前記非イオン活性剤としては、ソルビタン脂肪酸エステル（図３参照）等の脂肪酸エステル型の他、糖エステル型，アルコール型，アルキルフェノール型，アルキルアミン型が挙げられる。前記非イオン活性剤のＨＬＢ（Hydrophile Lipophile balance）値が５未満である場合、防曇剤３０が流れ落ち易いため、ＨＬＢ値は５以上、１０以下であることが望ましい。
【００１３】
非イオン性界面活性剤からなる防曇膜３０は、従来のＰＶＡ系の防曇剤からなる防曇膜９よりも防曇効果が優れており、高温多湿な環境であっても透視部材１
３，１４が曇り難い。なお、本発明は、本実施形態に限定されるものではなく、例えば、非イオン性界面活性剤をイソプロピルアルコール等の希釈剤と混合させて、透視部材１３，１４に塗布しても良い。
【図面の簡単な説明】
【００１４】
【図１】本発明の実施形態を示す計器装置の正面図。
【図２】同上実施形態を示す断面図。
【図３】同上実施形態のソルビタン脂肪酸エステルの化学式を示す図。
【図４】従来例を示す断面図。
【符号の説明】
【００１５】
１５  速度計（計器）
１６  回転計（計器）
１１  ケース体
１３  透視部材
１４  透視部材
３０  防曇膜
【図１】
2006184154.tif 000003
【図２】
2006184154.tif 000004
【図３】
2006184154.tif 000005
【図４】
2006184154.tif 000006